(57)【特許請求の範囲】
【請求項１】
上面にガラスが装着されたケース本体と、
このケース本体の外側に取り付けられる緩衝部材と、
この緩衝部材の外側に取り付けられる硬質の外装部材と、
前記ガラスの上側に位置して前記ガラスを保護する保護部、およびこの保護部の両端から延出されて前記緩衝部材と前記外装部材との間に挟持される延出部を有する保護部材と
を備えたことを特徴とする機器ケース。
【請求項２】
前記保護部は、ウレタン樹脂などの軟質樹脂からなり、前記ガラスの上側における複数個所に配置され、
前記延出部は、連続した１本または複数に分割された線状部材を屈曲形成してなることを特徴とする請求項１に記載の機器ケース。
【請求項３】
前記外装部材の内面には、前記保護部材の前記延出部が挿入する挿入溝が設けられていることを特徴とする請求項１または２に記載の機器ケース。
【請求項４】
前記延出部には前記緩衝部材および前記外装部材の周囲に沿う方向に屈曲された固定部が形成され、前記緩衝部材の外周面には前記固定部を下側から支持する下部挟持部が形成され、前記外装部材の内周面には前記固定部を上側から押える上部挟持部が形成されていることを特徴とする請求項１〜３のいずれかに記載の機器ケース。
【請求項５】
前記緩衝部材の外周面と前記外装部材の内周面との一方には係合凸部が形成され、他方には前記係合凸部が係脱可能に係合する係合凹部が形成されていることを特徴とする請求項１〜４のいずれかに記載の機器ケース。
【発明の詳細な説明】
【０００１】
【発明の属する技術分野】
この発明は、腕時計や携帯電話機などの電子機器に用いられる機器ケースに関する。
【０００２】
【従来の技術】
従来、腕時計ケースにおいては、腕に取り付けてスポーツや作業などをしているときに、腕時計ケースを物にぶつけて時計ガラスを傷付けたり破損したりしないように保護したものがある。
図９および図１０はその一例を示した図である。この腕時計ケースは、ケース本体１の外側に第１、第２ベゼル２、３を配置し、このケース本体１および第１、第２ベゼル２、３を保護部材４で挟み付けて一体化した構造になっている。
【０００３】
すなわち、ケース本体１は、ＡＢＳ樹脂などの硬質樹脂からなり、その上部には、図１０に示すように、時計ガラス５がパッキン６を介して装着されている。また、ケース本体１の内部には、時計モジュール７が設けられており、ケース本体１の下部には、裏蓋８が防水リング８ａを介してビス９により取り付けられている。この場合、時計ガラス５と時計モジュール７との間には、見切り部材１０がケース本体１に埋め込まれた補強用の金属部材１１により取り付けられて配置されている。また、時計モジュール７の下面には、裏蓋８の上面に当接するリング状の緩衝ゴム１２が設けられている。
【０００４】
第１ベゼル２は、ウレタン樹脂などの軟質合成樹脂からなる外装部材であり、ケース本体１の外周面に装着されている。この第１ベゼル２の内面には、第２ベゼル３が装着して第２ベゼル３の一部が外部に露出する切欠凹部１３が設けられている。第２ベゼル３は、金属からなる内装部材であり、第１ベゼル２の切欠凹部１３に装着されて一部が外部に露出した状態で、第１ベゼル２と共にケース本体１の外周面に装着されている。
【０００５】
保護部材４は、ウレタン樹脂などの軟質合成樹脂からなる一対の保護部１４と、これら保護部１４の両端からそれぞれ延出された一対のワイヤー部１５とからなっている。一対の保護部１４は、時計ガラス５の上面側に互いに対向した位置、例えば図９に示すように１２時側と６時側とに配置されている。また、一対のワイヤー部１５は、それぞれほぼ長方形状に折り曲げられ、その各上辺部に保護部１４がそれぞれ取り付けられ、その各下辺部が図１０に示すようにケース本体１の下面に設けられた取付溝１６にそれぞれ配置された状態で裏蓋８により回動可能に挟み付けられている。これにより、一対のワイヤー部１５は、各下辺部を中心に回動して保護部１４を時計ガラス５の上面側に配置させることにより、ケース本体１に第１、第２ベゼル２、３を挟み付けるように構成されている。
【０００６】
このような腕時計ケースを組み立てる場合には、まず、ケース本体１の上部に時計ガラス５をパッキン６を介して装着し、このケース本体１内に見切り部材１０を取り付けて時計モジュール７を収納すると共に、ケース本体１の下面の取付溝１６に保護部材４のワイヤー部１５の下辺部を配置する。そして、ケース本体１の下部に裏蓋８をビス９により取り付けると、ケース本体１内に時計モジュール７が緩衝ゴム１２を介して裏蓋８により固定されると共に、ケース本体１の下部に保護部材４のワイヤー部１５が裏蓋８で挟み付けられて回動可能に取り付けられる。
【０００７】
次に、第１ベゼル２の内面に第２ベゼル３を取り付ける。このときには、第１ベゼル２の内面に設けられた切欠凹部１３に第２ベゼル３を装着して第２ベゼル３の一部を第１ベゼル２の外部に露出させる。この状態で、第１、第２ベゼル２、３をケース本体１の外周面に装着する。そして、保護部材４のワイヤー部１５を回動させて軟質合成樹脂からなる保護部１４を時計ガラス５の上側に移動させる。すると、ワイヤー部１５が外装部材である第１ベゼル２の外面に密接すると共に、第１ベゼル２の上部を乗り越えて時計ガラス５の上側に位置し、この保護部１４の両側に位置するワイヤー部１５の一部が第１ベゼル２の上面に設けられた凹部１７に配置される。これにより、第１、第２ベゼル２、３がケース本体１の外周に保護部材４により挟み付けられて固定される。
【０００８】
このような腕時計ケースによれば、腕に取り付けてスポーツや作業などをしているときに、腕時計ケースを物にぶつけても、時計ガラス５の上側にウレタン樹脂などの軟質合成樹脂からなる保護部１４が配置されているので、この保護部１４により衝撃を吸収することができ、これにより時計ガラス５が傷付いたり破損したりしないように、良好に保護することができる。
【０００９】
【発明が解決しようとする課題】
しかしながら、このような腕時計ケースでは、ケース本体１の外周面に第１、第２ベゼル２、３を装着し、ケース本体１の下部に裏蓋８により回動可能に取り付けられた保護部材４のワイヤー部１５を回動させて保護部１４を時計ガラス５の上側に移動させるときに、軟質合成樹脂からなる保護部１４および軟質合成樹脂からなる第１ベゼル２の両者を弾性変形させなければ、保護部１４が第１ベゼル２の上部を乗り越えて、保護部材４により第１、第２ベゼル２、３をケース本体１に挟み付けることができない。
【００１０】
このため、この腕時計ケースでは、保護部１４を時計ガラス５の上側に移動させるときに、保護部材４の取付荷重が重くなるため、その固定作業が容易でないばかりか、取付時にワイヤー部１５が第１ベゼル２の外面を傷付けたりするなどの問題がある。
また、この腕時計ケースでは、保護部材４のワイヤー部１５が第１ベゼル２の外面に露呈しているので、デザイン的な制約を受けるという問題もある。
【００１１】
この発明の課題は、保護部材によるデザイン的な制約が少なく、且つ大きな取付荷重を必要とせず、容易に保護部材を組み付けることができるようにすることである。
【００１２】
【課題を解決するための手段】
この発明は、上面にガラスが装着されたケース本体と、このケース本体の外側に取り付けられる緩衝部材と、この緩衝部材の外側に取り付けられる硬質の外装部材と、前記ガラスの上側に位置して前記ガラスを保護する保護部、およびこの保護部の両端から延出されて前記緩衝部材と前記外装部材との間に挟持される延出部を有する保護部材とを備えたことを特徴とする機器ケースである。
この発明によれば、緩衝部材の外側に保護部材の延出部を配置して硬質の外装部材を取り付けると、保護部材の延出部が緩衝部材と外装部材との間に挟持され、この状態で外装部材と共に緩衝部材をケース本体の外側に取り付けることにより、保護部材の延出部が外装部材の外周面側にほとんど露呈せずに、保護部がケース本体のガラスの上側に配置されるので、デザイン的な制約が少なく、且つ大きな取付荷重を必要とせず、容易に保護部材を組み付けることができる。
【００１３】
この場合、請求項２に記載のごとく、前記保護部は、ウレタン樹脂などの軟質樹脂からなり、前記ガラスの上側における複数個所に配置され、前記延出部は、連続した１本または複数に分割された線状部材を屈曲形成してなることにより、緩衝部材の外側に延出部を配置して外装部材を装着するだけで、簡単に且つ容易に保護部材を取り付けることができる。
また、請求項３に記載のごとく、前記外装部材の内面には、前記保護部材の前記延出部が挿入する挿入溝が設けられていることにより、保護部材を所定位置に確実に位置決めして取り付けることができる。
【００１４】
また、請求項４に記載のごとく、前記延出部には前記緩衝部材および前記外装部材の周囲に沿う方向に屈曲された固定部が形成され、前記緩衝部材の外周面には前記固定部を下側から支持する下部挟持部が形成され、前記外装部材の内周面には前記固定部を上側から押える上部挟持部が形成されていることにより、緩衝部材の下部挟持部と外装部材の上部挟持部とで延出部の固定部を上下方向から確実に挟み付けることができるので、延出部が線状部材であっても、保護部材が外装部材の上方に抜け出さないように確実に固定することができる。
さらに、請求項５に記載のごとく、前記緩衝部材の外周面と前記外装部材の内周面との一方には係合凸部が形成され、他方には前記係合凸部が係脱可能に係合する係合凹部が形成されていることにより、係合凸部を係合凹部に係合させて緩衝部材と外装部材とを仮止めすることができ、このため緩衝部材を外装部材と共にケース本体の外側に確実に且つ良好に取り付けることができる。
【００１５】
【発明の実施の形態】
以下、図１〜図５を参照して、この発明を腕時計ケースに適用した一実施形態について説明する。なお、図９および図１０に示された従来例と同一部分には同一符号を付して説明する。
この腕時計ケースは、図１〜図３に示すように、ケース本体２０と、このケース本体２０の外側に取り付けられる緩衝部材２１と、この緩衝部材２１の外側に取り付けられる外装部材２２と、この外装部材２２と緩衝部材２１との間に挟持される保護部材２３とを備えている。
【００１６】
ケース本体２０は、図２および図３に示すように、ＡＢＳ樹脂などの硬質合成樹脂中に補強用の金属部材２０ａを埋め込んだ構造または金属のみからなる構造で、ほぼ円筒形状に形成されている。このケース本体２０の上部には、従来例と同様、時計ガラス５がパッキン６を介して装着されており、ケース本体２０の内部には、時計モジュール７が中枠２４を介して収納されている。この時計モジュール７は、図２に示すように、ハウジング２５内にアナログムーブメント２６が配置され、その上面側に文字板２７が配置され、この文字板２７の貫通孔を通してアナログムーブメント２６の指針軸２６ａが上方に突出し、この突出した指針軸２６ａに取り付けられた時針や分針などの指針（図示せず）が文字板２７の上方を運針することにより、時刻を指示するように構成されている。
【００１７】
また、このケース本体２０の外周面における３時側には、図３に示すように、時刻修正用のリューズ２８が挿入する筒部２９が外部に突出して設けられている。さらに、このケース本体２０の下部には、図２に示すように、裏蓋８が防水リング８ａを介して段付きビス３０により取り付けられている。なお、時計ガラス５と時計モジュール７との間に位置するケース本体２０の内面には、見切り部材１０が設けられている。また、時計モジュール７の下面には、裏蓋８の上面に当接するリング状の緩衝ゴム１２および圧電素子１８が設けられている。
【００１８】
保護部材２３は、図１に示すように、時計ガラス５の上側における１２時側と６時側とに位置する一対の保護部３１と、この一対の保護部３１がそれぞれ取り付けられる一対のワイヤー部３２とからなっている。保護部３１は、ウレタン樹脂などの軟質合成樹脂からなっている。ワイヤー部３２は、図３に示すように、保護部３１が取り付けられる上辺部の両側から緩衝部材２１の外面に沿って下方に向けて延び、その各下端が緩衝部材２１の周囲に沿う方向、つまり緩衝部材２１の周囲に沿って３時側と６時側とに向かう方向に折り曲げられ、これにより各下端に固定部３２ａが形成された構造になっている。
【００１９】
緩衝部材２１は、ウレタン樹脂などの軟質合成樹脂からなる内装部材であり、図２および図３に示すように、ケース本体２０の外側に装着するほぼ円筒形状に形成されている。この緩衝部材２１の上端部には、ケース本体２０の上端面に配置される緩衝鍔部３３が設けられており、この緩衝部材２１の外面下部には、ケース本体２０の筒部２９が挿入する挿入凹部３４が設けられている。また、この緩衝部材２１の外周面には、図３および図４に示すように、保護部材２３のワイヤー部３２の固定部３２ａを下側から支持する下部挟持部３５が挿入凹部３４の両側およびこれらと対向する個所にそれぞれ設けられている。さらに、緩衝部材２１の外周面における所定個所、例えば挿入凹部３４の上部側およびこれと対向する個所には、係合凸部３６がそれぞれ周方向に設けられている。
【００２０】
外装部材２２は、金属などの硬質材料からなり、図２および図３に示すように、緩衝部材２１の外側に装着するほぼ円筒形状に形成されている。この外装部材２２の外周面における１２時側と６時側には、バンド取付部３７が設けられている。このバンド取付部３７は、図２に示すように、庇形状に形成され、この庇形状の両側壁に取付孔３７ａが設けられ、この取付孔３７ａにねじ棒３８が取り付けられ、このねじ棒３８により時計バンド（図示せず）の先カン部材３９が取り付けられるように構成されている。このバンド取付部３７の両側壁の下部側には、保護部材２３のワイヤー部３２の固定部３２ａを上方から押えて緩衝部材２１の下部挟持部３５上に挟み付ける上部挟持部４０が設けられている。
【００２１】
また、この外装部材２２の上端部には、図１および図３に示すように、緩衝部材２１の緩衝鍔部３３の上面に配置される外装鍔部４１が設けられており、この外装鍔部４１には、保護部材２３の保護部３１の両端に位置するワイヤー部３２を配置する切欠部４２がそれぞれ設けられている。これら切欠部４２に対応する個所における外装部材２２の内面には、図３および図４に示すように、緩衝部材２１の外周面の上下方向に延びたワイヤー部３２が挿入する挿入溝４３が上下方向にそれぞれ設けられている。また、この外装部材２２の内面には、緩衝部材２１の係合凸部３６がそれぞれ係脱可能に係合する係合凹部４４が周方向に設けられている。
【００２２】
なお、時計バンドの先カン部材３９には、図２に示すように、時計バンド（図示せず）を連結するための連結孔３９ａが設けられていると共に、裏蓋８の下面に延出されて当接する当接部４５が設けられている。この当接部４５には、ケース本体２０の下部に裏蓋８を取り付ける段付きビス３０が挿入するビス挿入孔４５ａが設けられている。この先カン部材３９は、外装部材２２のバンド取付部３７にばね棒３８により取り付けられた状態で、当接部４５が裏蓋８の下面に当接し、この当接部４５のビス挿入孔４５ａを通して段付きビス３０により当接部４５および裏蓋８がケース本体２０の下部に固定されることにより、外装部材２２をケース本体２０に対し固定している。
【００２３】
次に、このような腕時計ケースを組み立てる場合について説明する。
この場合には、予め、ケース本体２０の上部に時計ガラス５をパッキン６を介して装着し、このケース本体２０内に見切り部材１０を取り付けて時計モジュール７を収納した後、ケース本体２０の下部に裏蓋８を配置する。
また、図３に示すように、緩衝部材２１と外装部材２２との間に保護部材２３を配置して緩衝部材２１と外装部材２２とを装着する。このときには、まず、図４に示すように、保護部材２３のワイヤー部３２の下端に形成された固定部３２ａを緩衝部材２１の下部挟持部３５上に配置すると共に、上下方向に延びたワイヤー部３２を緩衝部材２１の外側面に密接させて、保護部３１を緩衝部材２１の上側に配置する。
【００２４】
そして、外装部材２２の外装鍔部４１に設けられた切欠部４２を保護部３１の両側に位置するワイヤー部３２に対応させ、且つ外装部材２２の内面の挿入溝４３を緩衝部材２１の外面の上下方向に延びたワイヤー部３２に対応させる。
この状態で、緩衝部材２１の外側にその上方から外装部材２２を装着すると、図５に示すように、外装部材２２の切欠部４２に保護部３１の両側に位置するワイヤー部３２が配置されると共に、外装部材２２の挿入溝４３に緩衝部材２１のワイヤー部３２が挿入するので、保護部材２３が所定位置に位置決めされ、且つワイヤー部３２の固定部３２ａが緩衝部材２１の下部挟持部３５と外装部材２２の上部挟持部４０とで挟み付けられるので、ワイヤー部３２が線状部材であっても、保護部材２３が上方に抜け出すことなく、緩衝部材２１と外装部材２２との間に確実に挟持される。
【００２５】
また、このときには、緩衝部材２１の外面の係合凸部３６が外装部材２２の内面の係合凹部４４に係合し、これにより図５に示すように緩衝部材２１と外装部材２２とが仮固定されて一体化される。
そして、この仮固定された緩衝部材２１と外装部材２２とをケース本体２０の外側に装着すると、保護部材２３の保護部３１が時計ガラス５の上面側に配置される。このときには、保護部材２３の上下方向に延びたワイヤー部３２が外装部材２２の内面の挿入溝４３内に配置され、且つ緩衝部材２１がウレタン樹脂などの軟質合成樹脂からなっているので、大きな取付荷重を必要とせずに、緩衝部材２１と外装部材２２とをケース本体２０の外側に装着することができる。
【００２６】
この後、図２に示すように、外装部材２２のバンド取付部３７に時計バンド（図示せず）の先カン部材３９をばね棒３８により取り付けると共に、先カン部材３９の当接部４５をケース本体２０の裏蓋８の下面に配置する。これにより、裏蓋８がケース本体２０の下部に仮固定される。この状態で、先カン部材３９の当接部４５に設けられたビス挿入孔４５ａを通して段付きビス３０をケース本体２０の下部にねじ込むことにより、先カン部材３９の当接部４５および裏蓋８がケース本体２０の下部にねじ止めされる。これにより、外装部材２２が緩衝部材２１と共にケース本体２０に対して固定される。なお、予め、時計モジュール７をケース本体２０内に収納せず、先カン部材３９を取り付ける前、または取り付けた後に時計モジュール７を収納して裏蓋８をケース本体２０の下部に配置しても良い。
【００２７】
このように、この腕時計ケースによれば、保護部材２３の保護部３１が時計ガラス５の上面側に配置されているので、従来例と同様、腕に取り付けてスポーツや作業などをしているときに、腕時計ケースを物にぶつけても、ウレタン樹脂などの軟質合成樹脂からなる保護部３１により衝撃を吸収することができ、これにより時計ガラス５が傷付いたり破損したりしないように、良好に保護することができるほか、特に緩衝部材２１の外側に保護部材２３のワイヤー部３２を配置して外装部材２２を装着するので、大きな取付荷重を必要とせずに、容易に保護部材２３を組み付けることができる。
【００２８】
この場合、ワイヤー部３２は緩衝部材２１と外装部材２２との間に挟持されているので、外装部材２２の外装鍔部４１の切欠部４２に対応する個所を除いて、ワイヤー部３２が外装部材２２の外周面側に露呈しないため、デザイン的な制約を少なくすることができる。また、緩衝部材２１の外周面に係合凸部３６を設け、外装部材２２の内周面に係合凹部４４を設けたので、係合凸部３６が係合凹部４４に係合することにより緩衝部材２１と外装部材２２とを仮止めすることができ、これにより緩衝部材２１を外装部材２２と共にケース本体２０の外側に良好に取り付けることができる。
【００２９】
なお、上記実施形態では、保護部材２３のワイヤー部３２を２分割し、そのそれぞれに保護部３１を設けたが、これに限らず、例えば図６に示す第１変形例のように、連続する１本のワイヤー部５０を屈曲形成した構造でも良い。この場合には、保護部３１が取り付けられる一対の上辺部の各両端を下方に向けて折り曲げた上、その各下端を緩衝部材２１の周囲に沿う方向に折り曲げて固定部５０ａを形成すると共に、これら固定部５０ａを連続させれば良い。このように構成すれば、保護部材２３の部品点数を削減することができ、組立て作業の簡素化を図ることができる。
【００３０】
また、上記実施形態では、ワイヤー部３２を２分割し、そのそれぞれに保護部３１を設けたが、これに限らず、例えば図７（ａ）および図７（ｂ）に示す第２変形例のように、ワイヤー部５１を４分割し、一対の保護部３２ごとに２つのワイヤー部５１を連結する構造でも良い。この場合には、保護部３２が取り付けられる部分のワイヤー部５１をそれぞれ平板状に形成し、一方のワイヤー部５１の平板部分に装着孔５１ａを設け、他方のワイヤー部５１の平板部分に突起部５１ｂを形成し、この突起部５１ｂを装着孔５１ａに挿入させることにより、２つのワイヤー部５１を連結し、この連結部分に保護部３２を取り付ければ良い。このようにすれば、各ワイヤー部５１を細かく加工することができる。
【００３１】
さらに、上記第２変形例に限らず、例えば図８（ａ）および図８（ｂ）に示す第３変形例のように、ワイヤー部５２を４分割し、保護部５３をウレタン樹脂などの軟質合成樹脂によりほぼ円柱形状に形成し、その中心線上に貫通孔５３ａを設け、この貫通孔５３ａに各ワイヤー部５２の一端部を挿入させて２つのワイヤー部５２をそれぞれ連結させた構造でも良い。このように構成しても、各ワイヤー部５１を細かく加工することができるほか、デザイン的な向上も図ることができる。
【００３２】
なおまた、上記実施形態および上記各変形例では、保護部材２３の保護部３１を１２時側と６時側とに配置した場合について述べたが、これに限らず、３時側と９時側とに配置しても良く、また保護部３１は時計ガラス５の上側の２か所だけに設ける必要はなく、３か所以上に設けても良い。
また、上記実施形態および上記各変形例では、緩衝部材２１の外周面に係合凸部３６を設け、外装部材２２の内面に係合凹部４４を設けたが、これに限らず、外装部材２２の内面に係合凸部を設け、緩衝部材２１の外周面に外装部材２２の係合凸部が係脱可能に係合する係合凹部を設けても良い。
さらに、上記実施形態および上記各変形例では、腕時計ケースに適用した場合について述べたが、これに限らず、例えば携帯電話機などの機器ケースに適用することができる。
【００３３】
【発明の効果】
以上説明したように、この発明によれば、緩衝部材の外側に保護部材の延出部を配置して硬質の外装部材を取り付けると、保護部材の延出部が緩衝部材と外装部材との間に挟持され、この状態で外装部材と共に緩衝部材をケース本体の外側に取り付けることにより、保護部材の延出部が外装部材の外周面側にほとんど露呈せずに、保護部がケース本体のガラスの上側に配置されるので、デザイン的な制約が少なく、且つ大きな取付荷重を必要とせず、容易に保護部材を組み付けることができる。
【００３４】
この場合、保護部がウレタン樹脂などの軟質樹脂からなり、ガラスの上側における複数個所に配置され、延出部が連続した１本または複数に分割された線状部材を屈曲形成してなることにより、緩衝部材の外側に延出部を配置して外装部材を装着するだけで、簡単に且つ容易に保護部材を取り付けることができる。
また、外装部材の内面に延出部が挿入する挿入溝が設けられていることにより、保護部材を所定位置に確実に位置決めして取り付けることができる。
【００３５】
また、延出部には緩衝部材および外装部材の周囲に沿う方向に屈曲された固定部が形成され、緩衝部材の外周面には固定部を下側から支持する下部挟持部が形成され、外装部材の内周面には固定部を上側から押える上部挟持部が形成されていることにより、緩衝部材の下部挟持部と外装部材の上部挟持部とで延出部の固定部を上下方向から確実に挟み付けることができるので、延出部が線状部材であっても、保護部材が外装部材の上方に抜け出さないように確実に固定することができる。
【００３６】
さらに、緩衝部材の外周面と外装部材の内周面との一方には係合凸部が形成され、他方には係合凸部が係脱可能に係合する係合凹部が形成されていることにより、係合凸部を係合凹部に係合させて緩衝部材と外装部材とを仮止めすることができ、このため緩衝部材を外装部材と共にケース本体の外側に確実に且つ良好に取り付けることができる。
【図面の簡単な説明】
【図１】この発明を腕時計ケースに適用した一実施形態の正面図。
【図２】図１のＡ−Ａ矢視における一部を破断した側面図。
【図３】図２の要部を分解した斜視図。
【図４】図３の緩衝部材の外側に保護部材を配置して外装部材を上方から装着する状態を示した斜視図。
【図５】図４の緩衝部材に外装部材を装着して保護部材を挟持した状態の斜視図。
【図６】保護部材の第１変形例を示した正面図。
【図７】保護部材の第２変形例を示し、（ａ）は２つのワイヤー部を保護部で分解した状態を示した図、（ｂ）は２つのワイヤー部を保護部で連結した状態を示した図。
【図８】保護部材の第３変形例を示し、（ａ）は２つのワイヤー部を保護部で分解した状態を示した図、（ｂ）は２つのワイヤー部を保護部で連結した状態を示した図。
【図９】従来の腕時計ケースの正面図。
【図１０】図９のＢ−Ｂ矢視における一部を破断した側面図。
【符号の説明】
５  時計ガラス
２０  ケース本体
２１  緩衝部材
２２  外装部材
２３  保護部材
３１  保護部
３２  ワイヤー部
３５  下部挟持部
３６  係合凸部
４０  上部挟持部
４３  挿入溝
４４  係合凹部
【図１】
0003700615.tif 000002
【図２】
0003700615.tif 000003
【図３】
0003700615.tif 000004
【図４】
0003700615.tif 000005
【図５】
0003700615.tif 000006
【図６】
0003700615.tif 000007
【図７】
0003700615.tif 000008
【図８】
0003700615.tif 000009
【図９】
0003700615.tif 000010
【図１０】
0003700615.tif 000011